(57)【特許請求の範囲】
【請求項１】
窓を遮蔽しない非作動位置にあるとき、ローラ（２）に巻き上げられるか或いは前記窓の上方水平サッシ部材のところに折り畳まれると共に、自由端において、前記窓の幅に延びる底部レール（４）と接続される遮蔽体（１）を備える電気作動の窓遮蔽装置用作動装置であって、該作動装置は、前記遮蔽体を巻きほどく或いは広げる第１の方向に動かすため、前記遮蔽体に作用する、前記窓の下方水平サッシ部材に配置されると共に電気駆動モータ（９）を有する巻取り装置（１１；２２，２３）に巻回されるコードまたは紐形状の引張り要素（１２，１３；２４）を備え、該引張り要素（１２，１３；２４）は、前記底部レール（４）に接続されるように、前記巻取り装置から前記窓の両側方サッシ部材に沿って案内されているのに対して、巻き上げるまたは折り畳む第２の方向への前記遮蔽体の運動は、前記巻取り装置からの前記引張り要素の巻きほどきと同時にばね力によって行なわれる、窓遮蔽装置用作動装置において、
前記引張り要素（１２，１３；２４）は、既設された遮蔽装置の底部レール（４）に後から取付け可能な別個の棒体（５）に接続されることを特徴とする電気作動の窓遮蔽装置用作動装置。
【請求項２】
前記引張り要素が、前記別個の棒体（５）の全長にわたって案内される１本の引張りコード（２４）からなることを特徴とする請求項１に記載の電気作動の窓遮蔽装置用作動装置。
【請求項３】
前記引張り要素が、前記別個の棒体（５）の端部に各々接続される２本の引張りコードまたは紐（１２，１３）から構成されることを特徴とする請求項１に記載の電気作動の窓遮蔽装置用作動装置。
【請求項４】
前記巻取り装置（１１）が、前記１本の引張りコード（２４）の各端用の２つのドラム部分を有することを特徴とする請求項２に記載の電気作動の窓遮蔽装置用作動装置。
【請求項５】
前記巻取り装置（１１）が、前記２本の引張りコードまたは紐（１２，１３）の各端用の２つのドラム部分（１６，１７）を有することを特徴とする請求項３に記載の電気作動の窓遮蔽装置用作動装置。
【請求項６】
前記ドラム部分（１６，１７）が、共通ドラム面上に互いに反対方向のねじ山部分を有し、各ドラム部分に、ねじ山の底部に引張りコードまたは紐を巻くためのガイド要素として作用するナット部材が螺合されていることを特徴とする請求項５に記載の電気作動の窓遮蔽装置用作動装置。
【請求項７】
前記駆動モータ（９）に関連して、巻きほどく方向および／または巻き上げる方向への前記遮蔽体の運動の間中機能する端部停止装置が設けられていることを特徴とする請求項１乃至６のいずれか１項に記載の電気作動の窓遮蔽装置用作動装置。
【発明の詳細な説明】
技術分野
本発明は、窓を遮蔽しない非作動位置のとき、ローラに巻き上げられるか或いは前記窓の上方水平サッシ部材のところに折り畳まれると共に、自由端において前記窓の幅に延びる底部レールと接続される遮蔽体を備える電気作動の窓遮蔽装置用作動装置であって、該作動装置は、前記遮蔽体を巻きほどく或いは広げる第１の方向に動かすため、前記遮蔽体に作用する、前記窓の下方水平サッシ部材に配置されると共に電気駆動モータを有する巻取り装置に巻回されるコードまたは紐形状の引張り要素を備えている電気作動の窓遮蔽装置用作動装置に関する。
従来技術
かかる装置はドイツ連邦共和国特許第３２１４２３５号からローラシヤッタの形で知られている。この特許において議論されたローラシヤッタを巻きほどく動作は重力によつて行われ、巻き上げる動作は巻取り装置上への引張り要素の巻き取りを行う電気駆動モータによつてなされる。
この公知の作動装置は、例えば巻きほどく運動がモータによつて駆動されるローラブラインドのごとき他の形式の遮蔽装置、または、ルーフ窓のように巻きほどく方向の重力成分が小さい傾斜遮蔽装置に適さないので、制限された範囲においてのみ使用される。加えて、この作動装置は、窓の上方サッシ部材にあるローラに、又はコード経路に特別な設計を必要とする。
発明の開示
それゆえ、本発明の目的は、他の形式の遮蔽装置にも適用され得るような最初に述べた種類の改良されかつ簡単化された作動装置を提供することにある。
この目的を達成するために、本発明は、窓を遮蔽しない非作動位置にあるとき、ローラに巻き上げられるか或いは前記窓の上方水平サッシ部材のところに折り畳まれると共に、自由端において、前記窓の幅に延びる底部レールと接続される遮蔽体を備える電気作動の窓遮蔽装置用作動装置であって、該作動装置は、前記遮蔽体を巻きほどく或いは広げる第１の方向に動かすため、前記遮蔽体に作用する、前記窓の下方水平サッシ部材に配置されると共に電気駆動モータを有する巻取り装置に巻回されるコードまたは紐形状の引張り要素を備え、該引張り要素は、前記底部レールに接続されるように、前記巻取り装置から前記窓の両側方サッシ部材に沿って案内されているのに対して、巻き上げるまたは折り畳む第２の方向への前記遮蔽体の運動は、前記巻取り装置からの前記引張り要素の巻きほぐしと同時にばね力によって行なわれる、窓遮蔽装置用作動装置において、前記引張り要素は、既設された遮蔽装置の底部レールに後から取付け可能な別個の棒体に接続されることを特徴としている。従って、遮蔽装置の簡単かつ安全な作動が保証され、そして窓の側部に沿う引張り要素の案内は、視野全体に影響を及ぼさないことを結果的にもたらす。
引張り要素は、底部レールまたは別個の棒体の各端部に固定された２本の引張りコードまたは紐として、または底部レール若しくは別個の棒体長さに沿って案内される単一の引張りコードとして設計され得る。
好適な実施例において、巻取り装置は、それ自体スェーデン特許第２２２９０９号から知られるように、前記１本の引張りコードの両端か又は前記２本の引張りコード若しくは紐の各端のための２つのドラム部分を有し、そしてドラム部分が好ましくは共通ドラム面上に反対方向のねじ山部分を有し、各ねじ山部分にナット部材が螺合され、該ナット部材が、各ドラム部分のねじ山の底部における引張りコードの巻取りの制御部材として作用する。
かくして、駆動軸が軸方向に移動し得ず、特に、駆動軸の支持に特別な要求がなされない構造が得られ、そして同時に、ねじ山の底部における引張りコードの巻取りは、遮蔽装置が傾いて引っ張られるのを阻止する。
特別な利点として、駆動モータに関連して、巻きほどく方向および／または巻き上げる方向または引っ張り方向への遮蔽体の運動の間作用する端部停止装置が設けられることができ、該端部停止装置は、遮蔽装置がその端位置に衝突するときにも、その通路で障害物に出くわすときにも作動する。
本発明を以下において概略図面に関連して詳細に説明する。
種々の図において対応するまたは同様な部品は同一の参照符号によって示される。
発明を実施するための最良の形態
第１図および第２図には、柔軟な遮蔽体１を有するローラブラインドの形式の窓遮蔽装置の実施例が示されており、該遮蔽体１はローラブラインドの布により構成される。遮蔽体１は、ここでは、図示されない窓のサッシまたは主枠の上方頂部部材、即ち上方水平サッシ部材にホルダ３により取り付けられるローラ２に巻き上げられる。しかしながら、遮蔽装置は、例えばＥＰ−Ｂ１−００１５０４３に開示されているような非作動位置に折り畳まれるプリーツ付きブラインドとしても設計され得る。
遮蔽体１は、その下方端において、窓の幅全体に延びる底部レール４に接続される。第２図に示される実施例において、底部レール４は、第３図にも見られるように、クリツプ６，７によつて別個の棒体５と接続される。
遮蔽装置の作動は、引張り要素とともに、下方水平サッシ部材のところにある箱８内に配置された作動装置によつて行われる。作動装置は、歯車ユニット（詳細には図示せず）を備えた電気駆動モータ９を有し、モータ軸１０を介して、ここではドラム１１として設計された巻取り装置と接続される。引張り要素は、図示のごとく２本の引張りコード１２，１３として設計されることができ、該コードは、一端で底部レール４または別個の棒体５と接続されると共に、他端で案内ローラ１４，１５を介してドラム１１に導かれかつそれに巻回される。ドラムは互いに反対方向のねじ山部分１６、１７を有し、ナット要素１８，１９が各々螺合されている。各ナット要素１８，１９は、第３図から明らかなように、箱８の側壁上にまたはその中に設けられたガイド（詳細には図示せず）に嵌合する突起２０を備えていて、ナット要素１８，１９がドラム１１に関連して軸方向に移動可能であり、かつ第４図から明らかなように、ナット要素がその下側に引張りコード１２，１３を通すための孔を有している。
ローラブラインドを巻きほどくとき、モータ９はモータ軸１０を介してドラム１１を駆動し、ナット要素１８，１９は互いに離れる方向に動き、同時に引張りコード１２，１３をドラム部分の各ネジ山１６，１７に巻き付け、それにより底部レール４および棒体５は下方に引っ張られる。
遮蔽体１がその完全に巻きほどかれた位置にあるとき、すなわち底部レール４または棒体５が下方水平サッシ部材上でストツパになつたとき、モータは、予め定めた値を超えるときのモータ動力の検出および遮断により、または第５図に示されるような端部停止装置によつて停止される。
この図に示される実施例において、巻きほどく動作は第１図ないし第４図に関連して説明された実施例と同一の方法によって実施される。しかしながら、巻取り装置はここでは、図示実施例の形態のように、底部レール４を通過する引張りコード２４用の２つの転動ドラム２２，２３として設計される。該ドラム２２，２３は駆動モータ９と接続されるモータ軸１０上にある。ドラムおよびモータ軸は、モータ軸１０に作用するコード力の方向に対して平行な図示しないスロットを有する共通の支持ブラケツト２５内に挿入されている。遮蔽装置の下降中に、底部レール４が下方水平サッシ部材に当って止まるかまたは何らかの障害物に出くわすとき、コードは、モータ軸に作用する負荷が減少または停止されるように締め付けられ、モータ軸１０は端部停止接点２７においてばねバイアス接点部材２６または軸の下に位置決めされた調整可能なばねによつて制限された傾斜運動を行い、そしてモータへの動力が接続解除される。
【図面の簡単な説明】
第１図は本発明による作動装置の実施例を示す部分断面正面図である。
第２図は第１図に対応しかつ本発明の実施例を示す正面図である。
第３図は第２図に示される作動装置の側面図である。
第４図は本発明による作動装置の細部の断面図である。
第５図は作動装置の他の実施例を示す図である。
【図１】
0003715318.tif 000002
【図２】
0003715318.tif 000003
【図３】
0003715318.tif 000004
【図４】
0003715318.tif 000005
【図５】
0003715318.tif 000006